(57)【特許請求の範囲】
【請求項１】
シャッタ枠と、
このシャッタ枠の外側に設けたフィルム留め具と、
この留め具に被嵌するフィルム押えカバーと、
前記シャッタ枠の左右内側に設けた左右リブ片と、
この左右リブ片間に枢支したシャッタプレートと、
このシャッタプレートの左右側辺の略中央部に枢着した連動板と、
前記シャッタプレートの中の最上段シャッタプレートの長手方向に形成したプレート折返し裏辺が触れる前記シャッタ枠に設けたシャッタ枠上板と、
前記シャッタプレートの中の最下段シャッタプレートの長手方向に形成したプレート折曲げ辺が触れる前記シャッタ枠に設けたシャッタ枠下板と、
を備えたハウスの天井扇において、
左右側の前記フィルム留め具と、下側の前記フィルム留め具間に形成した隙間に、ブッシュを設ける構成としたハウスの天井扇。
【請求項２】
前記最上段シャッタプレートは、プレート本体と、プレート本体の長手方向の上端に設けたプレート折返し裏辺と、プレート本体の長手方向の下端に設けたプレート折曲げ辺と、プレート本体の短手方向の左右端に設けた側辺と、で構成した請求項１に記載のハウスの天井扇。
【請求項３】
前記最下段シャッタプレートは、プレート本体と、プレート本体の長手方向の上端に設けたプレート折返し表辺と、プレート本体の長手方向の下端に設けたプレート折曲げ辺と、プレート本体の短手方向の左右端に設けた側辺と、で構成した請求項１に記載のハウスの天井扇。
【請求項４】
前記シャッタ枠の裏面に、ファンと、このファン用のモータを設ける構成とした請求項１に記載のハウスの天井扇。
【請求項５】
前記シャッタ枠の裏面に、前記シャッタプレート開閉用のモータを設ける構成とした請求項１に記載のハウスの天井扇。
【請求項６】
前記連動板の底面に磁石を設ける構成とした請求項１に記載のハウスの天井扇。
【発明の詳細な説明】
【技術分野】
【０００１】
本発明は、ハウスのフィルムの屋根に取付ける天井開閉式の天井扇に関する。
【背景技術】
【０００２】
天井扇は、ハウスの自然換気と、適温湿度の維持にとって有効であり、かつ管理が容易であることが知られている。例えば、実開平２−１２８０２５号公報（文献（１）とする）の考案がある。この文献（１）には、従来の天井扇の改良として、防水（雨水の侵入防止）を図るために、シャッタの通気路を閉塞する、閉塞用のシャッタを設ける構造を提案する。しかし、閉塞用のシャッタを設ける構造では、構造が複雑となる。また、コストの上昇を招く虞がある。
【０００３】
また、天井扇では、ハウス内への雨水の侵入防止を図ることが必須要件である。そのために、天井扇の枠体とフィルムとを、密着して取付ける必要がある。しかし、従来の方法（取付け構造）は、フィルムの留め具と、留め具に嵌着されるフィルム押えスプリングとでなる。従って、フィルム全体を密着状態に取付けることが極めて困難であり、雨水の侵入を許すことになる。その改良として、例えば、特開２００４−２８３１５９号公報（文献（２）とする）と特開２００３−７９２５５号公報（文献（３）とする）に記載の発明がある。この文献（１）・（２）は、大小のリング（環状枠体）でシート（フィルム）を圧着する構造であり、枠体が大小であることが必須要件である。従って、使用が限定されるとともに、本発明の天井扇には不向きである、等の採用に関しての限定があって、少し問題となる。
【０００４】
【特許文献１】実開平２−１２８０２５号公報
【特許文献２】特開２００４−２８３１５９号公報
【特許文献３】特開２００３−７９２５５号公報
【発明の概要】
【発明が解決しようとする課題】
【０００５】
関連性が考えられる文献（１）〜（３）においては、それぞれ目的の範囲内では、有効である。しかし、天井扇への採用に関しては、幾多の改良と問題点があり、困難と思われるとともに、実用性に欠けることが考えられる。
【課題を解決するための手段】
【０００６】
上記に鑑み、本発明は、次のことを意図して、請求項１〜６を提供する。
【０００７】
１）  ハウス屋根面に設置することにより、高温層の内気等を効率よく排気、又は外気の導入ができる。
【０００８】
２）  シャッタ、及び／又は、フィルムのバタつきの少ない、風圧シャッタ、又はその他のシャッタの構造である。
【０００９】
３）  マグネットキャッチャー機構により、シャッタのバタつきがない。また、天井扇（換気扇）停止時の密閉率も向上する。
【００１０】
４）  フィルムの展張・防水処理がしやすい
５）  シャッタ部分の厚みを押え、フィルム留め具との間隔を広くしてフィルムの展張作業が容易である。
【００１１】
６）  フィルム留め具、及びフィルム押えカバーと、不透水性のブッシュ、又は透水性のブッシュとの併用であり、フィルムの展張・防水処理が容易である。
【００１２】
７）  防水構造が確実であり、かつ突風に強い構造である。
【００１３】
８）  フィルム留め具、フィルム押えカバーの構造の採用で、フィルムの取付けの容易化が図れる。
【００１４】
９）  フィルム押えバンド用フックでフィルムの展張、及び／又は、強度を確保できる。また、ハウスの躯体に取付けできる取付金具を備えた簡易形の天井扇である。かつこの溝部にバンド用フックを設けて、フィルム留め具の近傍（低い位置）でバンドが張れることと、フィルムを確実に押え得る特徴がある。
【発明の効果】
【００１５】
請求項１の発明は、シャッタ枠と、
シャッタ枠の外側に設けたフィルム留め具と、
留め具に被嵌するフィルム押えカバーと、
シャッタ枠の左右内側に設けた左右リブ片と、
左右リブ片間に枢支したシャッタプレートと、
シャッタプレートの左右側辺の略中央部に枢着した連動板と、
シャッタプレートの中の最上段シャッタプレートの長手方向に形成したプレート折返し裏辺が触れるシャッタ枠に設けたシャッタ枠上板と、
シャッタプレートの中の最下段シャッタプレートの長手方向に形成したプレート折曲げ辺が触れるシャッタ枠に設けたシャッタ枠下板と、
を備えたハウスの天井扇において、
左右側のフィルム留め具と、下側のフィルム留め具間に形成した隙間に、ブッシュを設けるハウスの天井扇である。
【００１６】
従って、前記の１）、２）と、４）〜８）の特徴を発揮できる。
【００１９】
請求項２の発明は、最上段のシャッタプレートは、プレート本体と、プレート本体の長手方向の上端に設けたプレート折返し裏辺と、プレート本体の長手方向の下端に設けたプレート折曲げ辺と、プレート本体の短手方向の左右端に設けた側辺と、で構成したハウスの天井扇である。
【００２０】
請求項３の発明は、最下段のシャッタプレートは、プレート本体と、プレート本体の長手方向の上端に設けたプレート折返し表辺と、プレート本体の長手方向の下端に設けたプレート折曲げ辺と、プレート本体の短手方向の左右端に設けた側辺と、で構成したハウスの天井扇である。
【００２１】
従って、請求項２と３は、前記の１）、２）、４）と５）を達成するに最適な、最上段・最下段シャッタプレートを提供できる。
【００２４】
請求項４の発明は、シャッタ枠の裏面に、ファンと、ファン用のモータを設けるハウスの天井扇である。
【００２５】
従って、前記１）、４）と７）を達成するに最適な、天井扇の構造を提供できる。
【００２６】
請求項５の発明は、シャッタ枠の裏面に、シャッタプレート開閉用のモータを設けるハウスの天井扇である。
【００２７】
従って、前記の１）、２）、７）と８）を達成するに最適な、天井扇の構造を提供できる。
【００３０】
請求項６の発明は、連動板の底面に磁石を設けるハウスの天井扇である。
【００３１】
従って、前記の１）、３）と４）を達成するに最適な、天井扇の構造を提供できる。
【図面の簡単な説明】
【００３２】
【図１】本発明の天井扇をハウスの屋根に敷設した状態の俯瞰図である。
【図２−１】天井扇の全体を示した取付け状態と同じ角度で示してある俯瞰図である。また、その一部を拡大して示した要部拡大図を合わせ示してある。
【図２−２】天井扇の部品である透水性のブッシュを示した拡大俯瞰図である。
【図３−１】天井扇を立設した仮置き（仮置きとする）であり、かつシャッタを開いた状態を示した正面模式図である。
【図３−２】図３−１の斜視図である。
【図４−１】天井扇を立設した仮置きであり、かつシャッタを閉めた状態を示した正面模式図である。
【図４−２】図４−１の斜視図である。
【図５−１】天井扇の要部であるシャッタ枠と、シャッタ、及び連動板とを示した斜視図である。
【図５−２】図５−１の背面斜視図である。
【図５−３】図５−１の側面の連動板と、左右枠体の一方を省略して示した拡大模式図である。
【図５−４】図５−３を裏面側より視認した模式図である。
【図５−５−１】図５−１、又は図５−２の最上段のシャッタの上側より視認した模式図である。
【図５−５−２】図５−１、又は図５−２の最下段のシャッタの下側より視認した模式図である。
【図５−５−３】図５−１、又は図５−２の最下段のシャッタの枢着箇所の端面より視認した模式図である。
【発明を実施するための形態】
【００３３】
本発明の好ましい、一実施例を説明する。
【００３４】
図２−１と図３−１等において、１はハウスＨの天井面Ｈ１に取付けられる内気の排気を図る天井扇である。この天井扇１の主構成は、方形状のシャッタ枠２と、このシャッタ枠２の表側の四辺を形成する上下、左右側となる上下枠体２００、２０１、及び左右枠体２０２、２０３（総称する場合は、枠体２−２とする）と、この上下枠体２００、２０１に膨出するように設けた上下板２ａ、２ｂ、及び左右枠体２０２、２０３に立設するように設けた左右リブ片２ｃ、２ｄと、左右リブ片２ｃ、２ｄ間に差渡し、かつ左右リブ片２ｃ、２ｄに両端（その長手方向の両端）を枢着した複数枚のシャッタプレート３ａ〜３ｃ（上から最上段シャッタプレート３ａ、シャッタプレート３ｂ、３ｃを二枚と、最下段シャッタプレート３ｄとでなる。総称する場合は、３とする）と、このシャッタプレート３の長手方向の両端を枢着し、かつシャッタプレート３を連動する連動板５ａ、５ｂと、前記上下枠体２００、２０１、及び左右枠体２０２、２０３の各外周辺に設けた略Ｃ形立上片６００、６０１をそれぞれ備えたフィルムＡ用のフィルム留め具６ａ〜６ｄと、このフィルム留め具６ａ〜６ｄ（総称する場合６とする）の各立上片６００、６０１に被嵌（圧着）されるフィルムＡ用のフィルム押えカバー７ａ〜７ｄ（総称する場合７とする）と、を表面側に備える。また、シャッタ枠２（枠体２００〜２０３）の裏側に設けた開口部１０ａを備えたファンケース１０と、開口部１０ａに設けたファン１１と、ファン用モータ１２と、モータ等を支持するファンケース１０に設けた支持腕１３と、ガード１５とを、表面側に備える。尚、天井扇１が、電動式シャッタ（図示しない）の例では、シャッタプレート３が図示しないモータ駆動で開閉する。従って、外内気の吸排気を図る。図中２ａ１は上板２の下側に立設したリブ片であり、その端部には、後述する左右リブ片２ｃ、２ｄに繋がる。
【００３５】
そして、フィルム留め具６ｃ、６ｄの下側６０２、６０３、又はフィルム留め具６ｃ、６ｄの上側（符号無し）と、フィルム留め具６ａ、６ｂの長手方向Ｘの下上側面６０４との間に形成した隙間２０、２０とか、若しくは、図示しないが、フィルム留め具６ｃ、６ｄを、適所をカットして形成した隙間２０、２０とかを形成する。この隙間２０、２０と下側６０２、６０３とにその他のブッシュ、例えば、不透水性のブッシュ２１をそれぞれ挿入する。このブッシュ２１を介して、後述する溝部２２を流れる雨水を、天井扇１外に流す構造である。溝部２２は、枠体２−２と、この枠体２−２の表側の四辺に沿って設けた、フィルム留め具６ａ、６ｂと、上下板２ａ、２ｂとによる横方向（ハウスＨの棟方向）の部位２２ａと、フィルム留め具６ｃ、６ｄと、左右リブ片２ｃ、２ｄとによる縦方向（ハウスＨの雨水の流れ方向）の部位２２ｂと、であり、主として、部位２２ｂを、縦方向に流れる雨水は、留め具６、及びブッシュ２１で堰き止め、例えば、フィルム押えカバー７の上側、及び留め具６側面６０４を通り、フィルムＡの表面に流れる。尚、隙間２０は、前述の如く、フィルム留め具６ｃ、６ｄの適所の端片間に設けることも可能であり、同様に隙間２０には、不透水性のブッシュ２１等を設ける。その特徴は、前述と同じである。また、図示しないが、透水性のブッシュの例では、隙間２０に設けたブッシュの細孔を利用して、フィルムＡの表面に流れる。従って、天井扇１、及び／又は、シャッタ枠２からの雨水の侵入防止（防水対策）が図れる。尚、この溝部２２には、シャッタプレート３を流れる雨水、及び／又は、降雨を受入れ可能である。
【００３６】
留め具６と、カバー７とにより、天井面Ｈ１のフィルムＡを展張する一例を説明すると、留め具６の立上片６００、６０１の上にフィルムＡを載せた後、フィルムＡをカバー７で押え付ける。その後、カバー７を、図示しない、止め具を利用して、留め具６に緊締することで、フィルムＡを天井扇１に展張できる。
【００３７】
シャッタプレート３の詳細を図３−１〜図５−３等を参考として説明すると、この一例では、四枚構造であり、最上段シャッタプレート３ａと、中間シャッタプレート３ｂ、３ｃを二枚と、最下段シャッタプレート３ｄである。そして、シャッタプレート３ｂ、３ｃと最下段シャッタプレート３ｄとは、一部を除いて、略同じ構造である。
【００３８】
最上段シャッタプレート３ａは、プレート本体３ａ１と、プレート本体の長手方向Ｘの上端に設けた鍵形に形成したプレート折返し裏辺３ａ２と、プレート本体３ａ１の長手方向Ｘの下端に設けたプレート折曲げ辺３ａ３と、プレート本体３ａ１の短手方向Ｙの左右端に設けた側辺３ａ４と、で構成する。このプレート折返し裏辺３ａ２は、雨水の最上段シャッタプレート３ａの裏面側への回り込みを無くすためである。また、プレート折曲げ辺３ａ３は、下の中間シャッタプレート３ｂのプレート本体３ｂ１に触れて（接触、又は圧接、近接等がある）、雨水、風等の最上段シャッタプレート３ａの裏面側への回り込みを無くすためである。
【００３９】
最下段シャッタプレート３ｄ（中間シャッタプレート３ｂ、３ｃも同じ）は、プレート本体３ｄ１（プレート本体３ｂ１、３ｃ１）と、プレート本体３ｄ１の長手方向Ｘの上端に設けた鍵形でなるプレート折返し表辺３ｄ２（プレート折返し表辺３ｂ２、３ｃ２）と、プレート本体３ｄ１の長手方向Ｘの下端に設けたプレート折曲げ辺３ｄ３（プレート折曲げ辺３ｂ３、３ｃ３）と、プレート本体３ｄ１の短手方向の左右端に設けた側辺３ｄ４（側辺３ｂ４、３ｃ４）と、で構成する。尚、最下端シャッタプレート３ｄのプレート折曲げ辺３ｄ３を備える。このプレート折曲げ辺３ｄ３は、下板２ｂに設けた鍵形に形成した折曲げ片２ｂ１の下側に触れる。これにより、最下段シャッタプレート３ｄのプレート折曲げ辺３ｄ３から、その裏面への雨水、風等の回り込み（枠体２−２の表面側への雨水、風の回り込み等の防止）等の防止と、バタつきを少なくする。雨水、風等の回り込みを防止は、他のプレート折曲げ辺３ｄ３も同じである。また、プレート折曲げ辺３ａ３〜３ｃ３は、下のシャッタプレート３ｂ〜３ｄのプレート本体３ｂ１〜３ｄ１に触れて、下の中間シャッタプレート３ｂ〜３ｄの裏面側への、雨水、風の回り込みを防止等のためである。
【００４０】
図中２３は枠体２−２の上下部位の四箇所（バンドの本数と位置に合わせて）に設けたフックで、フィルム押えバンドを係止する器材である。
【００４１】
尚、天井扇１は、ハウスＨの躯体Ｈ２となる杆材をカットし、カットした杆材間に支持する。
【００４２】
図２−１と、図３−１〜図４−２と、図５−４等に示した、連動板５ａ、５ｂは、シャッタプレート３を繋ぎ、かつ同期して連動する役割を担う。従って、連動板５ａ、５ｂと、シャッタプレート３の両側辺３ａ４〜３ｄ４とは、両者間に設けた止め具３０（留めピンであり、ガタを少なくしてある）で連繋されている。ファン１１の可動による風の移動（排気）と、その風圧で、シャッタプレート３が開く際に、シャッタプレート３が同時に外部に回転するとともに、外部と開口部１０ａとが繋がる（図１と、図３−１と図３−２参照）。即ち、ハウスＨの排気を図る。一方、ファン１１を停止すると、シャッタプレート３が閉まるが、その際に、シャッタプレート３が同時に天井面Ｈ１に復帰する（風の移動と、風圧とが無くなる）とともに、復帰後において、外部と開口部１０ａとが遮断される（図４−１と図４−２参照）。また、図５−４の如く、連動板５ａ、５ｂは、側面視した状態で、上側（棟側）に傾斜した切欠きを形成し、シャッタプレート３を閉塞した際に、最上段シャッタプレート３ａのプレート本体３ａ１に沿った形状を確保し、自然風からの抵抗緩和を図る。また、バタつきを少なくし、かつフィルムＡの展張作業がし易くした。
【００４３】
図中３１は磁石で、連動板５ａ、５ｂの縦方向の底面に設ける。磁石３１を利用して、連動板５ａ、５ｂとシャッタプレート３を、枠体２−２に固定する。
【００４４】
また、本発明は、シャッタプレート３が風圧で開閉する構造を説明したが限定されず、例えば、機械的に開閉する構造の天井扇１や、電動式シャッタにも実施例も採用できる。
【００４５】
以上の各実施例と、各構造とは、本発明の好ましい一例を示したものであり、同じような目的、及び／又は、効果等を達成できる他の実施例であっても、その範疇であって、当然、本発明の技術的範囲に含まれるものである。
【符号の説明】
【００４６】
１  天井扇
２  シャッタ枠
２−２  枠体
２００  上枠体
２０１  下枠体
２０２  左枠体
２０３  右枠体
２ａ  上板
２ａ１  リブ片
２ｂ  下板
２ｂ１  折曲げ片
２ｃ  左リブ片
２ｄ  右リブ片
３  シャッタプレート
３ａ  最上段シャッタプレート
３ａ１  プレート本体
３ａ２  プレート折返し裏辺
３ａ３  プレート折曲げ辺
３ａ４  側辺
３ｂ  中間シャッタプレート
３ｂ１  プレート本体
３ｂ２  プレート折返し表辺
３ｂ３  プレート折曲げ辺
３ｂ４  側辺
３ｃ  中間シャッタプレート
３ｃ１  プレート本体
３ｃ２  プレート折返し表辺
３ｃ３  プレート折曲げ辺
３ｃ４  側辺
３ｄ  最下段シャッタプレート
３ｄ１  プレート本体
３ｄ２  プレート折返し表辺
３ｄ３  プレート折曲げ辺
３ｄ４  側辺
５ａ  連動板
５ｂ  連動板
６  留め具
６ａ〜６d  フィルム留め具
６００  立上片
６０１  立上片
６０２  下側
６０３  下側
６０４  側面
７  カバー
７ａ〜７ｄ  フィルム押えカバー
１０  ファンケース
１０ａ  開口部
１１  ファン
１２  モータ
１３  支持腕
１５  ガード
２０  隙間
２１  ブッシュ
２２  溝部
２２ａ  部位
２２ｂ  部位
２３  フック
３０  止め具
３１  磁石
Ａ  フィルム
Ｈ  ハウス
Ｈ１  天井面
Ｈ２  躯体
Ｘ  長手方向
Ｙ  短手方向
【図１】
0006675782.tif 000002
【図２−１】
0006675782.tif 000003
【図２−２】
0006675782.tif 000004
【図３−１】
0006675782.tif 000005
【図３−２】
0006675782.tif 000006
【図４−１】
0006675782.tif 000007
【図４−２】
0006675782.tif 000008
【図５−１】
0006675782.tif 000009
【図５−２】
0006675782.tif 000010
【図５−３】
0006675782.tif 000011
【図５−４】
0006675782.tif 000012
【図５−５−１】
0006675782.tif 000013
【図５−５−２】
0006675782.tif 000014
【図５−５−３】
0006675782.tif 000015